(57)【特許請求の範囲】
【請求項１】
表示画面へ表示するための映像信号の入力を受ける複数の入力経路を有し、前記入力経路の中から選択された入力経路に入力されている映像信号を前記表示画面に表示し、前記選択された入力経路への映像信号の入力元の通知を行う第１の表示部と、
前記第１の表示部の選択された入力経路及び前記第１の表示部とは異なる第２の表示部のそれぞれに異なる映像信号を出力する映像信号出力部と、
前記第１の表示部に表示されている画面と前記第２の表示部に表示されている画面との切り替え命令を入力する画面切替入力部と、
前記第１の表示部における選択された入力経路の入力元が前記映像信号出力部か否かを判定する判定部と、
前記切り替え命令を受けたときに、前記第１の表示部の電源がＯＦＦの場合に、前記第１の表示部の電源をＯＮにし、さらに、前記判定部により前記入力元が前記映像信号出力部以外と判定された場合、前記入力元を前記映像信号出力部に切り替える入力制御部と、
前記第１の表示部及び前記第２の表示部のいずれか一方を第１画面に設定し、他方を第２画面に設定するディスプレイ設定部とを備え、
前記映像信号出力部は、前記第１画面に自装置の主たる操作画面である主操作画面を出力し、前記第２画面に自装置のサブの操作画面である副操作画面を出力する
ことを特徴とする情報処理装置。
【請求項２】
前記映像信号出力部は、前記画面切替入力部からの切り替え命令の入力を受けて、前記第１の表示部の電源がＯＮで、且つ前記判定部により映像信号の入力元が前記映像信号出力部であると判定された場合、前記第１の表示部に出力している映像信号と前記第２の表示部に出力している映像信号とを切り替えることを特徴とする請求項１に記載の情報処理装置。
【請求項３】
前記映像信号出力部は、前記第１の表示部又は前記第２の表示部のいずれか一方に自装置の主たる操作画面である主操作画面を出力し、前記画面切替入力部からの切り替え命令の入力がない状態で、前記第１の表示部の映像信号の入力元が前記映像信号出力部以外又は前記第１の表示部の電源がＯＦＦの場合に、前記第２の表示部に主操作画面を出力することを特徴とする請求項１又は請求項２に記載の情報処理装置。
【請求項４】
前記第１の表示部はＨＤＭＩ(High Definition Multimedia Interface)で規定されているＣＥＣ(Consumer Electronics Control)の機能に対応していることを特徴とする請求項１乃至請求項３のいずれか一つに記載の情報処理装置。
【請求項５】
前記第２の表示部は、前記映像信号出力部と無線で接続されていることを特徴とする請求項１乃至請求項４のいずれか一つに記載の情報処理装置。
【請求項６】
映像信号の複数の入力経路の中から表示させる映像信号の入力経路が一つ選択された第１ディスプレイ、及び前記第１ディスプレイとは異なる第２ディスプレイのそれぞれに異なる映像信号を出力するステップと、
前記第１ディスプレイに表示されている映像信号と前記第２ディスプレイに表示されている映像信号との切り替え命令の入力を受けるステップと、
前記第１ディスプレイの電源がＯＦＦの場合、前記第１ディスプレイの電源をＯＮにするステップと、
前記第１ディスプレイに表示されている映像信号の入力元の情報を取得するステップと、
前記第１ディスプレイに表示されている映像信号の入力元が自装置であるか否かを判定するステップと、
前記入力元が自装置以外と判定された場合、前記入力元を自装置に切り替えるステップと、
前記第１ディスプレイへ出力している映像信号と前記第２ディスプレイに出力している映像信号を切り替えるステップと、
前記第１ディスプレイ及び前記第２ディスプレイのいずれか一方を第１画面に設定し、他方を第２画面に設定するステップと、
前記第１画面に自装置の主たる操作画面である主操作画面を出力し、前記第２画面に自装置のサブの操作画面である副操作画面を出力するステップと
を含んだことを特徴とする情報処理装置制御方法。
【請求項７】
映像信号の複数の入力経路の中から表示させる映像信号の入力経路が一つ選択された第１ディスプレイ、及び前記第１ディスプレイとは異なる第２ディスプレイのそれぞれに異なる映像信号を出力する手順と、
前記第１ディスプレイに表示されている映像信号と前記第２ディスプレイに表示されている映像信号との切り替え命令の入力を受ける手順と、
前記第１ディスプレイの電源がＯＦＦの場合、前記第１ディスプレイの電源をＯＮにする手順と、
前記第１ディスプレイに表示されている映像信号の入力元の情報を取得する手順と、
前記第１ディスプレイに表示されている映像信号の入力元が自装置であるか否かを判定する手順と、
前記入力元が自装置以外と判定された場合、前記入力元を自装置に切り替える手順と、
前記第１ディスプレイへ出力している映像信号と前記第２ディスプレイに出力している映像信号を切り替える手順と、
前記第１ディスプレイ及び前記第２ディスプレイのいずれか一方を第１画面に設定し、他方を第２画面に設定する手順と、
前記第１画面に自装置の主たる操作画面である主操作画面を出力し、前記第２画面に自装置のサブの操作画面である副操作画面を出力する手順と
をコンピュータに実行させる情報処理装置制御プログラムを格納したコンピュータ読み取り可能な記録媒体。
【発明の詳細な説明】
【技術分野】
【０００１】
本発明は、情報処理装置、情報処理装置制御方法及び情報処理装置制御プログラムを格納した記録媒体に関する。
【背景技術】
【０００２】
近年、インターネット上における動画サイトなどといった、各種動画を配信するメディアが増えてきている。そして、このようなメディアからパソコンに取り込んだ動画をテレビの大きな画面で見たいという要望が増えてきている。そのため、大きな表示画面を有するテレビなどにＰＣの操作画面を映し出すことが増えてきている。
【０００３】
また、最近では、表示領域を拡大するなどの目的で、パソコンに複数のディスプレイを接続して使用するマルチディスプレイ環境が用いられることが多くなってきている。
【０００４】
テレビをＰＣの操作画面として利用できる構成でも、放送局から送られてくる番組などの映像を見たいときには、テレビには当然それらの映像が映されることになる。この場合、テレビをＰＣの操作画面としては利用できないので、小型のモニタなどの補助画面にＰＣの操作画面を表示させて、ＰＣの操作を行う必要がある。また、動画を検索して家族に見せるような場合にも、検索操作を家族全員に見せる必要は無いので、検索は補助画面で行い、検索して目的の動画を見つけた後に、その動画をテレビに映せばよい。このように、ＰＣにテレビを接続して、テレビにＰＣの操作画面を映し出せるようにしている場合、ＰＣに接続したテレビと補助画面とを切り替えて使用する場合が多いと考えられる。すなわち、テレビと補助画面とのマルチモニタ環境を用いることになる。以下では、ＰＣの操作を行う場合の主たる画面として使用する画面をプライマリディスプレイといい、ＰＣの操作を行う場合の従たる画面として使用する画面をセカンダリディスプレイという。
【０００５】
従来、画面入れ替えボタンを押下することで、テレビ画面とリモコンに表示されたパソコンの画面とを入れ替える技術が提供されている。また、リモコンに表示されたパソコンの操作画面のソフトキーを用いて、テレビ画面とパソコンの画面とを入れ替える技術が提供されている。
【先行技術文献】
【特許文献】
【０００６】
【特許文献１】特開２００４−９６３６１号公報
【特許文献２】特開２００４−４０６５６号公報
【発明の概要】
【発明が解決しようとする課題】
【０００７】
しかしながら、従来の技術では、テレビの電源が切られていた場合や、テレビの表示画面の入力がパソコンからの入力で無かった場合、マルチディスプレイ環境を構築することができず画面を入れ替えることが困難であった。
【０００８】
開示の技術は、上記に鑑みてなされたものであって、自動的にマルチディスプレイ環境を構築して画面切替を行う情報処理装置、情報処理装置制御方法及び情報処理装置制御プログラムを格納した記録媒体を提供することを目的とする。
【課題を解決するための手段】
【０００９】
本願の開示する情報処理装置、情報処理装置制御方法及び情報処理装置制御プログラムを格納した記録媒体は、一つの態様において、第１の表示部は、表示画面へ表示するための映像信号の入力を受ける複数の入力経路を有し、前記入力経路の中から選択された入力経路に入力されている映像信号を前記表示画面に表示し、前記選択された入力経路への映像信号の入力元の通知を行う。映像信号出力部は、前記第１の表示部の選択された入力経路及び前記第１の表示部とは異なる第２の表示部のそれぞれに異なる映像信号を出力する。画面切替入力部は、前記第１の表示部に表示されている画面と前記第２の表示部に表示されている画面との切り替え命令を入力する。判定部は、前記第１の表示部における選択された入力経路の入力元が前記映像信号出力部か否かを判定する。入力制御部は、前記切り替え命令を受けたときに、前記第１の表示部の電源がＯＦＦの場合、前記第１の表示部の電源をＯＮにし、さらに、前記判定部により前記入力元が前記映像信号出力部以外と判定された場合、前記入力元を前記映像信号出力部に切り替える。ディスプレイ設定部は、前記第１の表示部及び前記第２の表示部のいずれか一方を第１画面に設定し、他方を第２画面に設定する。そして、前記映像出力部は、前記第１画面に自装置の主たる操作画面である主操作画面を出力し、前記第２画面に自装置のサブの操作画面である副操作画面を出力する。
【発明の効果】
【００１０】
本願の開示する情報処理装置、情報処理装置制御方法及び情報処理装置制御プログラムを格納した記録媒体の一つの態様によれば、自動的にマルチディスプレイ環境を構築して画面切替を行うことができ、操作性が向上するという効果を奏する。
【図面の簡単な説明】
【００１１】
【図１】図１は、情報処理装置を含むシステムの全体構成を示す概略図である。
【図２】図２は、実施例に係る情報処理装置を含むシステムのブロック図である。
【図３】図３は、実施例に係る無線デバイスのハードウェアの構成図である。
【図４】図４は、無線デバイスの表示部にタッチパネル専用画面が表示されている状態を表す平面図である。
【図５】図５は、画面切り替えによる画面の遷移を説明するための図である。
【図６】図６は、実施例に係る本体のハードウェアの構成図である。
【図７】図７は、実施例に係る情報処理装置における第２状態又は第４状態からの第１状態又は第３状態への画面切り替えの処理のフローチャートである。
【発明を実施するための形態】
【００１２】
以下に、本願の開示する情報処理装置、情報処理装置制御方法及び情報処理装置制御プログラムを格納した記録媒体の実施例を図面に基づいて詳細に説明する。なお、以下の実施例により本願の開示する情報処理装置、情報処理装置制御方法及び情報処理装置制御プログラムを格納した記録媒体が限定されるものではない。
【実施例】
【００１３】
図１は、情報処理装置を含むシステムの全体構成を示す概略図である。図１に示すように、本実施例に係る情報処理装置を含むシステムは、ＣＰＵ(Central Processing Unit)、メモリ及びハードディスクなどが搭載された筐体である本体１、テレビ２、無線デバイス３及び無線キーボード／マウス４を有する。この本体１が情報処理装置の一例である。本実施例では情報処理装置をパソコンとして説明する。
【００１４】
本体１とテレビ２とはＨＤＭＩ(High-Definition Multimedia Interface)ケーブルで接続されている。また、本体１と無線デバイス３及び無線キーボード／マウス４とは無線で接続されている。そして、本体１と無線デバイス３及び無線キーボード／マウス４とは、無線によってデータの授受を行う。
【００１５】
次に、図２を参照して、実施例に係る情報処理装置を含むシステムの詳細について説明する。図２は、実施例に係る情報処理装置を含むシステムのブロック図である。
【００１６】
まず、テレビ２について説明する。図２に示すように、テレビ２は、表示部２１、入力切替部２２、表示制御部２３及び電源２４を有している。本実施例では、テレビ２は、ＨＤＭＩの端子（不図示）を有している。そして、テレビ２は、ＨＤＭＩで本体１と接続されている。さらに、本実施例におけるテレビ２は、ＨＤＭＩ−ＣＥＣ(Consumer Electronics Control)によって制御することができる。テレビ２はＨＤＭＩ−ＣＥＣで制御可能であることで、電源２４のオン／オフや、入力の切り替えといった制御を本体１から受けることができる。さらに、テレビ２は、HotPlugDetect信号を本体１との間でやり取りしている。HotPlugDetect信号とは、テレビ２との間のケーブルが接続されているか否かを判断するための信号である。
【００１７】
電源２４は、ＯＮになるとテレビ２の各部に電源を供給する。また、電源２４は、ＯＦＦになるとテレビ２の各部への電源の供給を停止する。ここで、テレビ２の電源２４のＯＮ／ＯＦＦを行うことで、表示部２１の電源のＯＮ／ＯＦＦが行えるため、以下では、テレビ２の電源２４のＯＮ／ＯＦＦに表示部２１の電源のＯＮ／ＯＦＦが含まれているものとして説明する。
【００１８】
表示部２１は、例えば液晶画面などの表示画面を有する。さらに、表示部２１は、表示する映像信号が入力される入力経路を複数有している。本実施例では、入力経路のうち一つが映像信号出力部１１１からの入力に割り当てられている。表示部２１の入力が映像信号出力部１１１からの入力である場合、表示部２１には、本体１で起動されるソフトウェアの画像を表示することができる。本体１で表示されるソフトウェアは、例えば文章編集用のソフトウェアや表計算用のソフトウェアである。また。本実施例では、入力経路のうちの他の一つがテレビ映像の入力に割り当てられている。ここで、テレビ映像とは、放送局から配信される映像などのことを指す。すなわち、表示部２１にテレビ映像が表示されている場合には、テレビ２はテレビ視聴用として用いられることになる。以下では、表示部２１への入力経路を変更することを、表示部２１への入力を変更するということがある。表示部２１が第１の表示部の一例である。
【００１９】
そして、表示部２１は、電源２４がＯＮの状態であれば、ＨＤＭＩ−ＣＥＣのルーティングコマンドを本体１の判定部１１２に送信する。ＨＤＭＩ−ＣＥＣのルーティングコマンドとは、表示部２１が現在表示している映像の映像信号の入力元が本体１の映像出力部であるか否かを通知する信号である。
【００２０】
操作者は、テレビ２の入力切替ボタン（不図示）などを用いて、表示部２１へ映像信号の入力を行う機器、すなわち映像信号の入力元を指定する。ここで、入力を行う機器とは、例えば、本体１やテレビ２の表示制御部２３である。入力切替部２２は、操作者からの表示部２１への入力を行う機器の指定を受けて、表示部２１の入力経路を切り替える。例えば、操作者から表示制御部２３からのテレビ映像の入力が指定された場合、入力切替部２２は、表示部２１の入力を表示制御部２３からの入力に切り替える。また、操作者から映像信号出力部１１１からのＰＣ(Personal Computer)の操作画面の入力が指定された場合、入力切替部２２は、表示部２１の入力を本体１の映像信号出力部１１１からの入力に切り替える。また、入力切替部２２は、表示部２１の入力を映像信号出力部１１１からの入力に切り替える命令を本体１の入力制御部１１４から受けて、表示部２１の入力を映像信号出力部１１１からの入力に切り替える。
【００２１】
表示制御部２３は、放送局などから受信したテレビ映像を表示部２１に表示させる。
【００２２】
次に、無線デバイス３について説明する。無線デバイス３は、表示部３１、表示制御部３２、無線通信制御部３３及び画面切替入力部３４を有している。
【００２３】
無線通信制御部３３は、本体１の無線通信制御部１２との間で無線による通信を行う。本実施例では、無線通信制御部３３は、ワイヤレスＵＳＢ(Universal Serial Bus)を用いて通信を行う。このように実際には、無線デバイス３の各部と本体１の各部との間の信号の授受は無線通信制御部３３を介して行われるが、以下では説明の都合上、無線デバイス３の各部が本体１の各部と信号の授受を直接行っているように説明する場合がある。
【００２４】
表示部３１は、液晶画面(LCD: Liquid Crystal Display)などである。また、表示部３１は、タッチパネル３５を有している。タッチパネル３５は、ユーザの指やタッチペンなどによるタッチ操作を検出する。操作者は、タッチパネル３５を用いて入力を行うことができる。そして、表示部３１には、タッチパネル３５のみを用いて操作を行うためのタッチパネル専用画面又はタッチパネル専用画面以外のＰＣの操作画面を表示させる。以下では、タッチパネル専用画面以外のＰＣの操作画面のことを、単に「ＰＣの操作画面」という。表示部３１にＰＣの操作画面が表示されている場合には、操作者はタッチパネル３５を用いてポインタを移動することもできる。表示部３１が第２の表示部の一例である。
【００２５】
表示制御部３２は、本体１の映像信号出力部１１１から映像信号を受信する。そして、表示制御部３２は、受信したデータを表示部３１に合わせて位置合わせを行うなどの画像変換を行う。そして、表示制御部３２は、表示部３１にＰＣの操作画面を表示させる。また、表示制御部３２は、タッチパネル３５からの入力を本体１の表示制御部１１及び統括制御部１３へ出力する。
【００２６】
画面切替入力部３４は、画面の切り替え命令を入力するためのボタンを有する。操作者が画面切替入力部３４のボタンを押下することにより、画面の切り替え命令が本体１の表示制御部１１及び統括制御部１３に送信される。
【００２７】
ここで、図３を参照して、無線デバイス３のハードウェア構成について説明する。図３は、実施例に係る無線デバイス３のハードウェアの構成図である。無線デバイス３は、液晶画面（LCD：Liquid Crystal Display)である表示部３０２を有している。この表示部３０２が図２の表示部３１の機能を有する。そして、表示部３０２にはタッチパネル３０１が設けられている。このタッチパネル３０１が図２のタッチパネル３５の機能を有している。そして、タッチパネル３０１はタッチパネルコントローラ３０３に接続されている。タッチパネルコントローラ３０３は、タッチパネル３０１からの入力の制御を行う。また、表示部３０２は画像変換部３０５と接続されている。さらに、画像変換部３０５はメモリ３０４を有している。画像変換部３０５は、本体１から送られてきた画像を返還するなどして表示部３０２に表示させる。このとき、画像変換部３０５は、必要があればメモリ３０４に画像を一時記憶させるなどする。このタッチパネルコントローラ３０３、メモリ３０４及び画像変換部３０５を組み合わせたものが、図２の表示制御部３２の機能を有する。ＵＳＢ端子３０７は、ＵＳＢのケーブルを用いて本体１と無線デバイス３とを接続するための端子である。ワイヤレスＵＳＢ３０６は、アンテナ３０８を介して本体１との無線通信を行う。このワイヤレスＵＳＢ３０６が、図２の無線通信制御部３３の機能を有する。画面切替ボタン３１５は、ボタンイベント通知部３１４と接続されている。操作者が画面切替ボタン３１５を押下すると、ボタンイベント通知部３１４が画面切り替え命令の入力と判断し、本体１に画面切り替え命令を出力する。この画面切替ボタン３１５及びボタンイベント通知部３１４が、図２の画面切替入力部３４の機能を有する。ＵＳＢハブ３１３は、タッチパネルコントローラ３０３からの入力を本体１へ出力する。また、ＵＳＢハブ３１３は、映像信号出力部１１１から入力された画像信号を画像変換部３０５に出力する。さらに、ボタンイベント通知部３１４から入力された画面切り替え命令を本体１へ出力する。バッテリ３１２は無線デバイス３の各部に電源を供給する。電源スイッチ３１１は、無線デバイス３の電源のオン／オフを行うスイッチである。そして、電源制御部３０９は、電源スイッチ３１１による電源のオン／オフを受けて、バッテリ３１２からの電源の供給を制御する。また、ＤＣ−ＩＮ３１０は外部から電力の供給を受ける入力端子である。
【００２８】
ここで、図４を参照して、無線デバイス３の外観及びタッチパネル専用画面の一例について説明する。図４は、無線デバイスの表示部にタッチパネル専用画面が表示されている状態を表す平面図である。本実施例では、タッチパネル専用画面として、アプリケーションの起動を管理するためのアプリケーションランチャを用いるものとする。
【００２９】
表示部３１にはタッチパネル３５（図４では不図示）が設けられている。図４では、表示部３１にタッチパネル専用画面が表示されている。そして、表示部３１には、アプリケーションランチャが表示されている。表示部３１に表示されたアプリケーションランチャ上に配置された小さな四角で囲まれた図柄３６がアプリケーションの起動ボタンを示している。操作者は、図柄３６を手などで物理的に押下することで、図柄３６に対応するアプリケーションの起動命令を入力する。さらに、図４に示すように、表示部３１とは離れた場所に画面切替入力部３４が設けられている。
【００３０】
次に、無線キーボード／マウス４について説明する。無線キーボード／マウス４は、キーボード及びマウスとともに無線通信制御部４１を有している。
【００３１】
無線通信制御部４１は、本体１の無線通信制御部１２と無線による通信を行う。本実施例では、無線通信制御部３３は、ワイヤレスＵＳＢを用いて通信を行う。
【００３２】
無線キーボード／マウス４は、キーボード又はマウスによる入力情報を無線通信制御部４１を介して本体１の表示制御部１１又は統括制御部１３へ出力する。
【００３３】
次に、パソコンの本体１について説明する。図２に示すように、本体１は、表示制御部１１、無線通信制御部１２及び統括制御部１３を有している。
【００３４】
無線通信制御部１２は、無線デバイス３及び無線キーボード／マウス４との間の無線によるデータの送受信を行う。具体的には、無線通信制御部１２は、無線デバイス３及び無線キーボード／マウス４から無線信号を受信して、表示制御部１１及び統括制御部１３に出力する。また、無線通信制御部１２は、表示制御部１１及び統括制御部１３から入力された信号を無線によって無線デバイス３又は無線キーボード／マウス４へ出力する。このように実際には、本体１の各部と無線デバイス３及び無線キーボード／マウス４との間の信号の授受は無線通信制御部１２を介して行われるが、以下では説明の都合上、本体１の各部が無線デバイス３又は無線キーボード／マウス４の各部と信号の授受を直接行っているように説明する場合がある。
【００３５】
表示制御部１１は、映像信号出力部１１１、判定部１１２、ディスプレイ設定部１１３及び入力制御部１１４を有している。また、表示制御部１１は、タッチパネル専用画面のフォーマットを予め記憶している。
【００３６】
判定部１１２は、後述する統括制御部１３からテレビ２がＨＤＭＩで接続されているかの情報、ＨＤＭＩ−ＣＥＣの設定が有効になっているかの情報を受信する。テレビ２においてＨＤＭＩ−ＣＥＣの設定が有効の場合、判定部１１２は、無線デバイス３から画面切り替え命令の入力を受けると、テレビ２の電源２４がＯＮであり、且つ表示部２１の入力が映像信号出力部１１１からの入力になっているか否かを判定する。判定部１１２は、表示部２１からの映像信号の入力元を通知する信号が無ければ電源２４がＯＦＦであると判断できる。テレビ２の電源２４がＯＦＦであれば、判定部１１２は、その旨を入力制御部１１４に通知する。また、表示部２１の入力が映像信号出力部１１１からの入力でなければ、判定部１１２は、その旨を入力制御部１１４に通知する。
【００３７】
入力制御部１１４は、テレビ２の電源２４がＯＦＦである旨の通知を判定部１１２から受信すると、電源２４の電源をＯＮにする。また、入力制御部１１４は、表示部２１の入力が本体１からの入力でない旨の通知を判定部１１２から受信すると、表示部２１の入力を映像信号出力部１１１からの入力に変更する。入力制御部１１４は、これらの制御をＨＤＭＩを用いて行う。こうすることで、入力制御部１１４は、画面切り替え命令の入力を受けたときに、本体１が複数の画面を利用できるマルチディスプレイ環境を構築することができる。
【００３８】
ディスプレイ設定部１１３は、後述する統括制御部１３からテレビ２がＨＤＭＩで接続されているかの情報、ＨＤＭＩ−ＣＥＣの設定が有効になっているかの情報を受信する。ディスプレイ設定部１１３は、パソコンの起動時には、テレビ２のＨＤＭＩ−ＣＥＣの設定が有効であれば、テレビ２の表示部２１をプライマリディスプレイに設定する。さらに、ディスプレイ設定部１１３は、無線デバイス３の表示部３１をセカンダリディスプレイに設定する。ここで、プライマリディスプレイとはＰＣの操作を行うための主たるディスプレイであり、主画面の一例である。また、セカンダリディスプレイとは、ＰＣの操作を行うために補助的に用いられる従たるディスプレイであり、副画面の一例である。
【００３９】
また、ディスプレイ設定部１１３は、無線デバイス３の画面切替入力部３４から画面の切り替え命令を受けると、テレビ２のＨＤＭＩ−ＣＥＣの設定が有効であれば、命令を受けた時点でのプライマリディスプレイとセカンダリディスプレイとを入れ替える。例えば、表示部２１がプライマリディスプレイで表示部３１がセカンダリディスプレイの場合、画面の切り替え命令を受けると、ディスプレイ設定部１１３は、表示部２１をセカンダリディスプレイに設定し、表示部３１をプライマリディスプレイに設定する。そして、ディスプレイ設定部１１３は、表示部２１及び表示部３１の設定情報を映像信号出力部１１１に出力する。
【００４０】
これに対して、テレビ２でＨＤＭＩ−ＣＥＣの設定が有効でない状態で、表示部３１をセカンダリディスプレイに変更する画面切替命令が入力されると、表示制御部１１は、切替不可の情報を表示部３１に表示させる。また、テレビ２でＨＤＭＩ−ＣＥＣの設定が有効でない状態で、表示部３１をプライマリディスプレイに変更する画面切替命令が入力されると、ディスプレイ設定部１１３は、表示部３１のプライマリディスプレイへの変更を行う。逆に、テレビ２でＨＤＭＩ−ＣＥＣの設定が有効でない状態で、表示部３１をセカンダリディスプレイに変更する画面切替命令が入力されると、表示制御部１１は、切替不可の情報を表示部３１に表示させる。
【００４１】
映像信号出力部１１１は、表示部２１又は表示部３１のどちらがプライマリディスプレイで、どちらがセカンダリディスプレイかという情報をディスプレイ設定部１１３から受ける。そして、映像信号出力部１１１は、ＰＣの操作画面の主操作画面をプライマリディスプレイに出力する。また、表示部２１がセカンダリディスプレイに設定されている場合、映像信号出力部１１１は、ＰＣの操作画面の副操作画面を表示部３１に表示させる。この副操作画面には、主操作画面に連動した従たる操作画面と主操作画面とは独立したタッチパネル専用画面とが含まれる。また、映像信号出力部１１１は、表示部３１をプライマリディスプレイに切り替えた場合に、切り替え前に表示部３１が表示していた画面の種類を記憶している。そして、表示部３１がプライマリディスプレイからセカンダリディスプレイに変わった場合には、映像信号出力部１１１は、前回表示部３１がセカンダリディスプレイとして設定されていたときに表示していた種類の画面の映像信号を表示部３１へ出力する。例えば、前回表示部３１がセカンダリディスプレイとして設定されていたときにタッチパネル専用画面を表示していた場合、映像信号出力部１１１は、画面切替によってセカンダリディスプレイに設定された表示部３１にタッチパネル専用画面の映像信号を出力する。
【００４２】
ポインタ制御部１１５は、無線キーボード／マウス４からの入力を受けて、テレビ２の表示部２１の画面に表示されているポインタを移動するなどポインタの位置の制御を行う。また、無線デバイス３の表示部３１にＰＣの操作画面が表示されている場合、ポインタ制御部１１５は、無線デバイス３又は無線キーボード／マウス４からの入力を受けて、表示部３１の画面に表示されているポインタの画面上の位置の制御を行う。これに対して、表示部３１にタッチパネル専用画面が表示されている場合、ポインタ制御部１１５は、表示部３１の画面にポインタが移動しないよう制御する。さらに、ポインタ制御部１１５は、表示部３１に表示されている画面がＰＣの操作画面からタッチパネル専用画面に変更された場合には、表示部３１に表示されていたポインタを表示部２１の画面に移動する。
【００４３】
ここで、図５を参照して、各状態からの画面切り替えによる画面の遷移について説明する。図５は、画面切り替えによる画面の遷移を説明するための図である。まず表示画面の各状態について説明する。
【００４４】
第１状態５０１では、ディスプレイ設定部１１３は、表示部２１をプライマリディスプレイに設定し、表示部３１をセカンダリディスプレイに設定している。そして、映像信号出力部１１１は、ＰＣの主操作画面を表示部２１に出力し、表示部３１にタッチパネルを用いてＰＣの操作を行うタッチパネル専用画面を表示部３１に出力している。すなわち、表示制御部１１は、ＰＣの操作画面を表示部２１に表示させ、タッチパネル専用画面を表示部３１に表示させている。第１状態５０１では、表示制御部１１は、表示部２１と表示部３１とに対して独立した表示を行わせている。
【００４５】
第２状態５０２では、ディスプレイ設定部１１３は、表示部２１をセカンダリディスプレイに設定し、表示部３１をプライマリディスプレイに設定している。そして、映像信号出力部１１１は、表示部２１にＰＣの従たる操作画面を出力し、表示部３１にＰＣの主操作画面を出力している。すなわち、表示制御部１１は、ＰＣの操作画面を表示部２１及び表示部３１に表示させている。そして、第２状態５０２では、表示制御部１１は、表示部２１と表示部３１とを連携させた表示を行わせている。つまり、表示部２１と表示部３１とは二つの画面で同じ一つの画面を表示している状態である。例えば、表示部２１から表示部３１へマウスポインタをシームレスに移動させることができる。
【００４６】
第３状態５０３では、ディスプレイ設定部１１３は、表示部２１をプライマリディスプレイに設定し、表示部３１をセカンダリディスプレイに設定している。そして、映像信号出力部１１１は、表示部２１にＰＣの主操作画面を出力し、表示部３１にＰＣの従たる操作画面を出力している。すなわち、表示制御部１１は、ＰＣの操作画面を表示部２１及び表示部３１に表示させている。第３状態５０３では、第２状態５０２と同様に、表示制御部１１は、表示部２１と表示部３１とを連携させた表示を行わせている。すなわち、第２状態５０２と第３状態５０３とは、表示部２１と表示部３１との画面の状態が入れ替わったものである。
【００４７】
第４状態５０４では、ディスプレイ設定部１１３は、表示部２１をセカンダリディスプレイに設定し、表示部３１をプライマリディスプレイに設定している。映像信号出力部１１１は、表示部２１にＰＣの従たる操作画面を出力し、表示部３１にＰＣの主操作画面を出力している。ただし、表示部２１にテレビ映像が表示されている又はテレビ２の電源が切られているため、表示制御部１１は、表示部２１に何も表示させていない状態である。ここで、テレビ映像の表示部２１への表示は、後述するようにテレビ２に内蔵された表示制御部２３が行う。また、表示制御部１１は、ＰＣの操作画面を表示部３１に表示させている。
【００４８】
次に、各状態から他の状態への画面の遷移を説明する。ここで、第１状態５０１、第２状態５０２及び第３状態５０３ではテレビ２の電源２４がＯＮであり、且つ表示部２１の入力が映像信号出力部１１１からの入力になっている。そこで、第４状態からの遷移においてのみ、判定部１１２及び入力制御部１１４の動作についての説明を行う。
【００４９】
まず、第４状態５０４の時に、表示制御部１１が画面切り替え命令の入力を受けた場合について説明する。
【００５０】
判定部１１２は、画面の切り替え命令を受けると、テレビ２の電源２４がＯＮであり、且つ表示部２１の入力が映像信号出力部１１１からの入力であるかを判定する。判定部１１２は、テレビ２の電源２４がＯＦＦであるか、又は表示部２１の入力が映像信号出力部１１１からの入力で無い場合、その旨を入力制御部１１４に通知する。入力制御部１１４は、判定部１１２からの通知を受けて、テレビ２の電源２４がＯＮで、且つ表示部２１の入力が本体からの入力である状態に変更する。このように、判定部１１２及び入力制御部１１４によって、マルチディスプレイ環境が構築される。このマルチディスプレイ環境の構築の処理については後で詳細に説明する。
【００５１】
マルチディスプレイ環境が構築された後、ディスプレイ設定部１１３は、表示部２１をプライマリディスプレイにし、表示部３１をセカンダリディスプレイに設定する。
【００５２】
そして、映像信号出力部１１１は、自己が記憶している前回の画面切り替え前の表示部２１に表示されていた画面が、タッチパネル専用画面又はＰＣの従たる操作画面のいずれかであるかを確認する。
【００５３】
前回の画面切り替え前の表示部２１に表示されていた画面がタッチパネル専用画面の場合、表示制御部１１は、表示部３１に表示されていたアプリケーションなどを表示部２１に移動させる。そして、映像信号出力部１１１は、表示部２１に出力していたＰＣの主操作画面を表示部３１に出力する。さらに、映像信号出力部１１１は、表示制御部１１が記憶しているタッチパネル専用画面のフォーマットを用いてタッチパネル専用画面を表示部３１に出力する。この場合、ポインタ制御部１１５は、第２状態５０２で表示部３１の画面にポインタが移動できるよう制御しているが、画面切り替え命令の入力を受けて、表示部３１の画面にポインタが移動しないよう制御する。このようにして、表示制御部１１は、第４状態５０４から第１状態５０１への画面の遷移５１９を実行する。
【００５４】
これに対して、前回の画面切り替え前の表示部２１に表示されていた画面がＰＣの従たる操作画面の場合、映像信号出力部１１１は、表示部２１に出力していたＰＣの主操作画面を表示部３１に出力する。さらに、映像信号出力部１１１は、表示部３１に出力していたＰＣの従たる操作画面を表示部２１に出力する。このようにして、表示制御部１１は、第４状態５０４から第３状態５０３への画面の遷移５２０を実行する。
【００５５】
次に、第１状態５０１からの遷移について説明する。ディスプレイ設定部１１３は、第１状態５０１の状態で、画面切り替え命令の入力を受けると、表示部３１をプライマリディスプレイにし、表示部２１をセカンダリディスプレイに設定する。そして、映像信号出力部１１１は、表示部２１に出力していたＰＣの主操作画面を表示部３１に出力する。さらに、映像信号出力部１１１は、表示部２１にＰＣの従たる操作画面を出力する。そして、映像信号出力部１１１は、画面切り替え前に表示部３１にタッチパネル専用画面を出力していたことを記憶する。この場合、ポインタ制御部１１５は、第１状態５０１で表示部３１の画面にポインタが移動しないよう制御しているが、画面切り替え命令の入力を受けて、表示部３１の画面にポインタが移動するよう制御する。このようにして、表示制御部１１は、第１状態５０１から第２状態５０２への画面の遷移５１１を実行する。
【００５６】
次に、第３状態５０３からの遷移について説明する。ディスプレイ設定部１１３は、第３状態５０３の状態で、画面切り替え命令の入力を受けると、表示部３１をプライマリディスプレイに設定し、表示部２１をセカンダリディスプレイに設定する。そして、映像信号出力部１１１は、表示部２１に出力していたＰＣの主操作画面を表示部３１に出力する。さらに、映像信号出力部１１１は、表示部３１に出力していたＰＣの従たる操作画面を表示部２１に出力する。そして、映像信号出力部１１１は、画面切り替え前に表示部３１にＰＣの従たる操作画面を出力していたことを記憶する。このようにして、表示制御部１１は、第３状態５０３から第２状態５０２への画面の遷移５１４を実行する。
【００５７】
また、第２状態５０２から第１状態５０１又は第３状態５０３への遷移は、第４状態５０４からの遷移において、マルチディスプレイ環境が構築された後の動作と同様である。表示制御部１１は、第４状態５０４からの遷移におけるマルチディスプレイ環境が構築された後の動作と同様の処理を行うことで、第２状態５０２から第１状態５０１又は第３状態５０３への画面の遷移５１２又は遷移５１３を実行する。
【００５８】
次に、第１状態５０１の時に、表示制御部１１が、表示部３１の表示をＰＣの操作画面へ変更する命令の入力を無線デバイス３又は無線キーボード／マウス４から受けた場合を説明する。この場合、映像信号出力部１１１は、表示部２１に出力しているＰＣの主操作画面と連動したＰＣの従たる操作画面を表示部３１に出力する。この場合、ポインタ制御部１１５は、第１状態５０１で表示部３１の画面にポインタが移動しないよう制御しているが、表示部３１の表示をＰＣの操作画面へ変更する命令の入力を受けて、表示部３１の画面にポインタが移動するよう制御する。このようにして、表示制御部１１は、第１状態５０１から第３状態５０３へ画面の遷移５１５を実行する。
【００５９】
逆に、第３状態５０３の時に、表示制御部１１が、表示部３１の表示をタッチパネル専用画面へ変更する命令の入力を無線デバイス３又は無線キーボード／マウス４から受けた場合を説明する。まず、表示制御部１１は、表示部３１に表示されていたアプリケーションなどを表示部２１に移動させる。そして、映像信号出力部１１１は、タッチパネル専用画面を表示部３１に出力する。この場合、ポインタ制御部１１５は、第３状態５０３で表示部３１の画面にポインタが移動できるよう制御しているが、画面切り替え命令の入力を受けて、表示部３１の画面にポインタが移動しないよう制御する。このようにして、表示制御部１１は、第３状態５０３から第１状態５０１へ画面の遷移５１６を実行する。
【００６０】
次に、第２状態５０２の時に、テレビ２を操作者が操作することで、表示部２１の表示画面がテレビ映像へ切り替えた、もしくは電源２４がＯＦＦにされた場合を説明する。操作者がテレビ２を操作して表示部２１の表示画面をテレビ映像に切り替えた場合も、映像信号出力部１１１は、表示部２１に対してＰＣの従たる操作画面を出力している。しかし、表示部２１の入力がテレビ映像になっているため、映像信号出力部１１１からの出力は表示部２１には表示されない。また、操作者が電源２４をＯＦＦにした場合も、映像信号出力部１１１は、表示部２１に対してＰＣの従たる操作画面を出力し続けている。しかし、電源２４がＯＦＦになっているため、映像信号出力部１１１からの出力は表示部２１には表示されない。このようにして、テレビ２の操作によって、表示制御部１１とは独立して第２状態５０２から第４状態５０４への遷移５１７が行われる。ここで、本実施例では、表示部２１の画面がテレビ映像に切り替わった、もしくはテレビ２の電源が切られた場合にも、ＰＣの操作状態を維持するため映像信号出力部１１１はＰＣの従たる操作画面を表示部２１に出力している。しかし、テレビ映像によってＰＣの従たる操作画面が隠れることを避けるために、映像信号出力部１１１はＰＣの従たる操作画面を表示部２１に送らないようにしても良い。この場合、表示制御部１１は、表示部２１に表示されていたアプリケーションなどを表示部３１に移動することが好ましい。
【００６１】
次に、第４状態５０４の時に、テレビ２を操作者が操作することで、表示部２１の表示画面をＰＣの操作画面へ切り替えた場合について説明する。ここで、表示部２１の表示画面をＰＣの操作画面へ切り替えるとは、具体的には、テレビ２の入力を表示制御部２３から映像信号出力部１１１からの入力に変更することを指す。本実施例では、第４状態５０４で、映像信号出力部１１１は、表示部２１に対してＰＣの従たる操作画面を出力し続けている。そのため、表示部２１の入力が映像信号出力部１１１からの入力に変更された場合、表示部２１にはＰＣの従たる操作画面が表示される。このようにして、操作者によるテレビ２の操作によって、表示制御部１１とは独立して第４状態５０４から第２状態５０２への遷移５１８が行われる。
【００６２】
統括制御部１３は、プログラムの実行など本体１において実行される各種処理を行う。例えば、統括制御部１３は、無線デバイス３又は無線キーボード／マウス４からの入力を受けて処理を実行する。また、統括制御部１３は、各種処理を行うに際して、表示部２１又は表示部３１に表示を行わせる必要がある場合には、表示制御部１１を介して表示部２１又は表示部３１に表示を行わせる。
【００６３】
また、統括制御部１３は、テレビ２との間でHotPlugDetect信号の受け渡しができるか否かすなわち、HotPlugDetect信号がConnectか否かを判定する。HotPlugDetect信号がConnectで無い場合、統括制御部１３は、テレビ２と接続が切れているという情報を表示制御部１１に送信する。また、統括制御部１３は、テレビ２がＨＤＭＩで接続されているかを判定する。そして、テレビ２がＨＤＭＩで接続されている場合には、統括制御部１３は、テレビ２におけるＨＤＭＩ−ＣＥＣの設定が有効になっているか否かを判定する。そして、統括制御部１３は、テレビ２のＨＤＭＩ−ＣＥＣの設定の情報を表示制御部１１へ送信する。
【００６４】
ここで、本実施例ではＨＤＭＩ−ＣＥＣのルーティングコマンドの監視を行い、電源２４のＯＮ／ＯＦＦ及び表示部２１の入力元の判定をする判定部１１２を表示制御部１１が有するように説明したが、統括制御部１３に判定部１１２を設けても良い。
【００６５】
次に、図６を参照して、本体１のハードウェア構成を説明する。図６は、実施例に係る本体１のハードウェア構成図である。図６に示すように、本実施例に係る本体１は、ＣＰＵ１０１、メモリ１０２、ＨＤＤ(Hard Disk Drive)１０３、ワイヤレスＵＳＢ１０４、アンテナ１０５、ＨＤＭＩ−ＣＥＣ制御部１０６及びＨＤＭＩ端子１０７を備えている。メモリ１０２及びＨＤＤ１０３は記憶部である。ＣＰＵ１０１は、メモリ１０２やＨＤＤ１０３を用いながらプログラムの実行などの各種処理を行う。また、ＣＰＵ１０１は、ワイヤレスＵＳＢ１０４及びアンテナ１０５を介して無線デバイス３や無線キーボード／マウス４とのデータの送受信を行う。ここで、ＣＰＵ１０１、メモリ１０２及びＨＤＤ１０３の組み合わせが、図２の表示制御部１１及び統括制御部１３の機能を有する。また、ワイヤレスＵＳＢ１０４が図２の無線通信制御部１２の機能を有する。ＨＤＭＩ端子１０７は、ＨＤＭＩに対応した機器との接続端子である。本実施例では、テレビ２と本体１とはこのＨＤＭＩ端子１０７を介して接続されている。ＣＰＵ１０１は、映像や音声などの情報をＨＤＭＩ端子１０７を介してテレビ２へ送信する。ＨＤＭＩ−ＣＥＣ制御部１０６は、ＣＰＵ１０１が出力したテレビ２の制御命令をＣＥＣの規格に変換してＨＤＭＩ端子１０７を介してテレビ２へ出力する。また、ＨＤＭＩ−ＣＥＣ制御部１０６は、テレビ２からの制御信号を変換してＣＰＵ１０１へ出力する。
【００６６】
次に、図７を参照して、本実施例に係る情報処理装置における第２状態又は第４状態からの第１状態又は第３状態への画面切り替えの処理を説明する。図７は、実施例に係る情報処理装置における第２状態又は第４状態からの第１状態又は第３状態への画面切り替えの処理のフローチャートである。ここで、図７は、第１状態又は第３状態から第２状態又は第４状態に表示部２１及び表示部３１の状態が遷移した後の状態から始まるものとして説明する。また、統括制御部１３は、パソコン起動時にテレビ２がＨＤＭＩで接続されているか否か、及びＨＤＭＩ−ＣＥＣの設定が有効になっているか否かを判定しているものとする。そして、統括制御部１３は、テレビ２のＨＤＭＩ−ＣＥＣの設定が有効の場合には、HDMI_CEC_SUPPORT Flag＝１としているものとする。ここで、HDMI_CEC_SUPPORT Flagは、ＨＤＭＩ−ＣＥＣの設定の有無を表すフラグである。
【００６７】
統括制御部１３は、HDMI_CEC_SUPPORT Flagが１か否かを判定する（ステップＳ１０１）。HDMI_CEC_SUPPORT Flagが１の場合（ステップＳ１０１肯定）、判定部１１２は、ＨＤＭＩ−ＣＥＣのルーティングに関するコマンドの監視を行う（ステップＳ１０２）。これに対して、HDMI_CEC_SUPPORT Flagが１でない場合（ステップＳ１０１否定）、判定部１１２は、ＨＤＭＩ−ＣＥＣのルーティングに関するコマンドの監視を行わない。
【００６８】
操作者によるＴＶ操作が行われる（ステップＳ１０３）。
【００６９】
統括制御部１３は、画面切替ボタンが押下されたか否かを判定する（ステップＳ１０４）。画面切替ボタンが押下されていない場合（ステップＳ１０４否定）、統括制御部１３は、画面切替ボタンが押下されるまで待機し、その間、ステップＳ１０３が繰り返される。
【００７０】
そして、画面切替ボタンが押下された場合（ステップＳ１０４肯定）、統括制御部１３は、HotPlugDetect信号がConnectになっているか否かを判定する（ステップＳ１０５）。
【００７１】
HotPlugDetect信号がConnectでない場合（ステップＳ１０５否定）、表示制御部１１は、切り替え不可能のメッセージを表示部３１に表示させ画面切り替え処理を終了する（ステップＳ１１７）。
【００７２】
これに対して、HotPlugDetect信号がConnectである場合（ステップＳ１０５肯定）、判定部１１２は、HDMI_CEC_SUPPORT Flagが１か否かを判定する（ステップＳ１０６）。HDMI_CEC_SUPPORT Flagが１でない場合（ステップＳ１０６否定）、表示制御部１１は、切り替え不可能のメッセージを表示部３１に表示させ画面切り替え処理を終了する（ステップＳ１１７）。
【００７３】
これに対して、HDMI_CEC_SUPPORT Flagが１の場合（ステップＳ１０６肯定）、判定部１１２は、テレビ２からＨＤＭＩ−ＣＥＣのコマンドであるActive Sourceを受信して、電源２４のＯＮ／ＯＦＦの情報、及び表示部２１に画像信号の入力を行っている装置の情報を取得する（ステップＳ１０７）。
【００７４】
判定部１１２は、テレビ２の電源２４がＯＮになっており、且つ表示部２１の入力が映像信号出力部１１１からの入力になっているか否かを判定する（ステップＳ１０８）。電源２４がＯＦＦ又は表示部２１の入力が映像信号出力部１１１からの入力でない場合（ステップＳ１０８否定）、入力制御部１１４は、タイムアウトカウントを１５秒に設定する（ステップＳ１０９）。そして、入力制御部１１４は、テレビ２の電源２４がＯＦＦの場合には電源をＯＮにし、表示部２１の入力が映像信号出力部１１１で無い場合には、表示部２１の入力を映像信号出力部１１１に切り替えを実施する（ステップＳ１１０）。
【００７５】
入力制御部１１４は、テレビ２の電源２４がＯＮになっており、且つ表示部２１の入力が映像信号出力部１１１からの入力になっているか否かを判定する（ステップＳ１１１）。テレビ２の電源２４がＯＦＦ又は入力が映像信号出力部１１１からの入力でない場合（ステップＳ１１１否定）、入力制御部１１４は、タイムアウトしたか否かを判定する（ステップＳ１１５）。タイムアウトしていない場合（ステップＳ１１５否定）、表示制御部１１は、テレビ２の電源がＯＮになり且つ入力が映像信号出力部１１１からの入力になるまで待機する。これに対して、タイムアウトした場合（ステップＳ１１５肯定）、表示制御部１１は、テレビ２の制御に失敗した旨のメッセージを表示部３１に表示させ（ステップＳ１１６）、画面切り替えの処理を終了する。
【００７６】
これに対して、テレビの電源２４がＯＮで入力が映像信号出力部１１１からの入力と判定した場合（ステップＳ１０８肯定又はステップＳ１１１肯定）、ディスプレイ設定部１１３は、表示部２１をプライマリディスプレイに設定する。また、ディスプレイ設定部１１３は、表示部３１をセカンダリディスプレイに設定する（ステップＳ１１２）。次に、映像信号出力部１１１は、保持していたモードに表示部２１及び表示部３１を遷移させる（ステップＳ１１３）。具体的には、映像信号出力部１１１は、記憶している切り替え前の表示部３１が表示していた画面の種類に合わせて、表示部３１に画面を表示させる。また、映像信号出力部１１１は、ＰＣの主操作画面を表示部２１に表示させる。
【００７７】
そして、ポインタ制御部１１５は、タッチパネル３５の動作モードを設定する（ステップＳ１１４）。具体的には、表示部３１にタッチパネル専用画面が表示された場合には、ポインタ制御部１１５は、表示部３１にポインタが移動しないように制御する。このとき、表示制御部１１は、表示部３１に表示されているアプリケーション及びポインタを表示部２１に移動する。これに対して、表示部３１にＰＣの操作画面が表示された場合には、ポインタ制御部１１５は、表示部３１にポインタ移動できるように制御する。
【００７８】
以上に説明したように、本実施例に係る情報処理装置は、テレビの電源がＯＦＦであったり、映像信号の入力が自装置からの入力でなかったりしても、画面切替ボタンが押下されるだけで、自動的にマルチディスプレイ環境を構築することができる。これにより、マルチディスプレイ環境を手動で構築する煩雑さを軽減することができ、操作性を向上させることが可能となる。
【００７９】
また、以上の説明では、テレビを例に説明したが、テレビに限らずＨＤＭＩ端子を有する表示装置であれば情報処理装置は適用可能である。さらに、以上の説明では、テレビがＨＤＭＩを有しているものとして説明したが、映像信号の入力元が把握できる表示装置、すなわちＨＤＭＩと同等な仕様を有する表示装置であれば情報処理装置は動作可能である。その場合にも、マルチディスプレイ環境を自動的に構築することができ、操作性を向上させることができる。
【００８０】
さらに、以上の各実施例における説明では、無線接続を用いて表示部３１に画面を表示させる構成で説明したが、表示部３１はケーブルなどを用いて本体１と接続されていてもよい。その場合でも、マルチディスプレイ環境の自動的な構築は実現でき、操作性の向上という効果を得ることができる。
【００８１】
なお、本実施例は主に情報処理装置、情報処理装置制御方法を中心に説明したが、本発明は、予め用意された情報処理プログラムをコンピュータで実行することによって、上述の実施例と同様の機能を実現することができる。また、情報処理装置制御プログラムは、コンピュータに設けられたメモリ、ハードディスク、その他のコンピュータで読み取り可能な記録媒体に記録され、コンピュータによって記録媒体から読み出されることによって実行することもできる。
【００８２】
具体的には、本実施例では、本体１のＨＤＤ１０３に、上述した各種の処理を実施する機能を発揮する情報処理装置制御プログラムが記憶されている。そして、ＣＰＵ１０１は、ＨＤＤ１０３から情報処理装置制御プログラムを読み出して実行する。これにより、情報処理装置制御プログラムは、上述した各種処理を実行していく情報処理装置制御プロセスとなる。
【００８３】
以上の各実施例を含む実施形態に関し、さらに以下の付記を開示する。
【００８４】
（付記１）表示画面へ表示するための映像信号の入力を受ける複数の前記入力経路を有し、前記入力経路の中から選択した入力経路に入力されている映像信号を前記表示画面に表示し、前記選択した入力経路への映像信号の入力元の通知を行う第１の表示部のいずれかの入力経路及び第２の表示部のそれぞれに異なる映像信号を出力する映像信号出力部と、
前記第１の表示部に表示されている画面と前記第２の表示部に表示されている画面との切り替え命令を入力する画面切替入力部と、
前記第１の表示部が選択している入力経路の入力元が前記映像信号出力部か否かを判定する判定部と、
前記切り替え命令を受けたときに、前記第１の表示部の電源がＯＦＦの場合に、前記第１の表示部の電源をＯＮにし、さらに、前記判定部により前記入力元が前記映像信号出力部以外と判定された場合、前記入力元を前記映像信号出力部に切り替える入力制御部と
を備えたことを特徴とする情報処理装置。
【００８５】
（付記２）前記映像信号出力部は、前記画面切替入力部からの切り替え命令の入力を受けて、前記第１の表示部の電源がＯＮで、且つ前記判定部により映像信号の入力元が前記映像信号出力部であると判定された場合、前記第１の表示部に出力している映像信号と前記第２表示部に出力している映像信号とを切り替えることを特徴とする付記１に記載の情報処理装置。
【００８６】
（付記３）前記映像信号出力部は、前記第１の表示部又は前記第２の表示部のいずれか一方に自装置の主たる操作画面である主操作画面を出力し、前記画面切替入力部からの切り替え命令の入力がない状態で、前記第１の表示部の映像信号の入力元が前記映像信号出力部以外又は前記第１の表示部の電源がＯＦＦの場合に、前記第２の表示部に主操作画面を出力することを特徴とする付記１又は付記２に記載の情報処理装置。
【００８７】
（付記４）前記第１の表示部はＨＤＭＩ(High Definition Multimedia Interface)で規定されているＣＥＣ(Consumer Electronics Control)の機能に対応していることを特徴とする付記１乃至付記３のいずれか一つに記載の情報処理装置。
【００８８】
（付記５）前記第２の表示部は、前記映像信号出力部と無線で接続されていることを特徴とする付記１乃至付記４のいずれか一つに記載の情報処理装置。
【００８９】
（付記６）前記画面切替入力部は、前記映像信号出力部と無線で接続されており、
前記第２の表示部と前記画面切替部は１つの筐体に搭載されている
ことを特徴とする付記１乃至付記５のいずれか一つに記載の情報処理装置。
【００９０】
（付記７）前記第１の表示部及び前記第２の表示部のいずれか一方を第１画面に設定し、他方を第２画面に設定するディスプレイ設定部をさらに備え、
前記映像信号出力部は、前記第１画面に自装置の主たる操作画面である主操作画面を出力し、前記第２画面に自装置のサブの操作画面である副操作画面を出力することを特徴とする付記１乃至付記６のいずれか一つに記載の情報処理装置。
【００９１】
（付記８）映像信号の複数の入力経路の中から表示させる映像信号の入力経路が一つ選択された第１ディスプレイ、及び第２ディスプレイのそれぞれに異なる映像信号を出力するステップと、
前記第１ディスプレイに表示されている映像信号と前記第２ディスプレイに表示されている映像信号との切り替え命令の入力を受けるステップと、
前記第１ディスプレイの電源がＯＦＦの場合、前記第１ディスプレイの電源をＯＮにするステップと、
前記第１ディスプレイに表示されている映像信号の入力元の情報を取得するステップと、
前記第１ディスプレイに表示されている映像信号の入力元が自装置であるか否かを判定するステップと、
前記入力元が自装置以外と判定された場合、前記入力元を自装置に切り替えるステップと、
前記第１ディスプレイへ出力している映像信号と前記第２ディスプレイに出力している映像信号を切り替えるステップと
を含んだことを特徴とする情報処理装置制御方法。
【００９２】
（付記９）映像信号の複数の入力経路の中から表示させる映像信号の入力経路が一つ選択された第１ディスプレイ、及び第２ディスプレイのそれぞれに異なる映像信号を出力する手順と、
前記第１ディスプレイに表示されている映像信号と前記第２ディスプレイに表示されている映像信号との切り替え命令の入力を受ける手順と、
前記第１ディスプレイの電源がＯＦＦの場合、前記第１ディスプレイの電源をＯＮにする手順と、
前記第１ディスプレイに表示されている映像信号の入力元の情報を取得する手順と、
前記第１ディスプレイに表示されている映像信号の入力元が自装置であるか否かを判定する手順と、
前記入力元が自装置以外と判定された場合、前記入力元を自装置に切り替える手順と、
前記第１ディスプレイへ出力している映像信号と前記第２ディスプレイに出力している映像信号を切り替える手順と
をコンピュータに実行させる情報処理装置制御プログラムを格納したコンピュータ読み取り可能な記録媒体。
【符号の説明】
【００９３】
１  本体
２  テレビ
３  無線デバイス
４  無線キーボード／マウス
１１  表示制御部
１２  無線通信制御部
１３  統括制御部
２１  表示部
２２  入力切替部
２３  表示制御部
２４  電源
３１  表示部
３２  表示制御部
３３  無線通信制御部
３４  画面切替入力部
３５  タッチパネル
４１  無線通信制御部
１１１  映像信号出力部
１１２  判定部
１１３  ディスプレイ設定部
１１４  入力制御部
１１５  ポインタ制御部
【図１】
0005716299.tif 000002
【図２】
0005716299.tif 000003
【図３】
0005716299.tif 000004
【図４】
0005716299.tif 000005
【図５】
0005716299.tif 000006
【図６】
0005716299.tif 000007
【図７】
0005716299.tif 000008